【手続補正書】
【提出日】平成26年1月31日(2014.1.31)
【手続補正１】
【補正対象書類名】明細書
【補正対象項目名】００１１
【補正方法】変更
【補正の内容】
【００１１】
【図１】図１は実施例１の画像形成装置の斜視図である。
【図２】図２は実施例１の画像形成装置の全体説明図である。
【図３】図３は図２のトナー像形成装置の要部拡大図である。
【図４】図４は図３のＩＶ−ＩＶ線断面図である。
【図５】図５は実施例１の画像形成装置の制御部が備えている各機能を機能ブロック図で示した図である。
【図６】図６は実施例１の各部材に印加される電圧の説明図である。
【図７】図７は実施例１のジャム発生画像の説明図であり、図７Ａは実施例１の第１ジャム発生画像の説明図、図７Ｂは実施例１の第２ジャム発生画像の説明図、図７Ｂは実施例１の第３ジャム発生画像の説明図である。
【図８】図８は実施例１のジャム発生判別処理のフローチャートである。
【図９】図９は実施例１のリカバリ制御処理のフローチャートである。
【図１０】図１０は実施例１の作用説明図であって、リカバリ動作時の感光体表面の状態説明図であり、図１０Ａは書込済領域が現像領域を通過する状態の説明図であり、図１０Ｂは帯電済領域が現像領域を通過する状態の説明図であり、図１０Ｃは未帯電領域が現像領域を通過する状態の説明図であり、図１０Ｄはリカバリ済領域が現像領域を通過する状態の説明図であり、図１０Ｅは感光体が１回転した状態の説明図である。
【図１１】図１１は実施例１の作用説明図であり、縦軸を電位［Ｖ］、横軸を時間［ｓｅｃ］としてジョブ中断から再開するまでにおける現像領域で対向する感光体表面と現像ロール表面との電位差を示す折れ線グラフの説明図であり、図１１Ａはジョブ中断時に現像ロールをアースした場合の説明図であり、図１１Ｂはリカバリ動作時に感光体表面の電位に応じたリカバリ動作用の現像電圧が現像ロールに印加された場合の説明図であり、図１１Ｃはジョブ中断時に現像ロールを電気的にフロートした場合の説明図である。
【図１２】図１２は実施例１の作用説明図であり、書込済領域における書込部の電位と非書込部の電位と書込済領域全体の電位の平均値との関係を示す説明図である。
【図１３】図１３は変更例のコンデンサに切り替える例の説明図である。
【手続補正２】
【補正対象書類名】明細書
【補正対象項目名】００８１
【補正方法】変更
【補正の内容】
【００８１】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ011）を下記に例示する。
（Ｈ01）前記実施例において、画像形成装置の一例としてプリンタＵを例示したが、これに限定されず、複写機、ＦＡＸ、あるいはこれら複数の機能を備えた複合機等に適用可能である。また、単色現像の画像形成装置に限定されず、多色、いわゆるカラーの画像形成装置により構成することも可能である。
【手続補正３】
【補正対象書類名】明細書
【補正対象項目名】００８３
【補正方法】変更
【補正の内容】
【００８３】
（Ｈ03）前記実施例では、リカバリ動作時に現像ロールＧａから現像電源Ｅａ１を断線して、現像ロールＧａを電気的にフロートしたが、これに限定されず、例えば、現像ロールＧａの接続を現像電源Ｅａ１からコンデンサやアースされていない板金等に切り替えて、現像ロールＧａを電気的にフロートすることも可能である。なお、図１３に、コンデンサに切り替える例を示す。
（Ｈ04）前記実施例では、リカバリ動作時に現像ロールＧａを電気的にフロートしたが、これに限定されず、例えば、現像領域Ｑ２の回転方向上流側にリカバリ動作用の除電器を設けて、リカバリ動作時に感光体ＰＲ表面を除電すると共に、現像ロールＧａをアースして感光体ＰＲと現像ロールＧａとの電位差を０［Ｖ］に近づける構成も可能である。
【手続補正４】
【補正対象書類名】明細書
【補正対象項目名】００８４
【補正方法】変更
【補正の内容】
【００８４】
（Ｈ05）前記実施例のように、ジョブ中断時から現像ロールＧａが電気的にフロートされることが好ましいが、フロートの開始時期についてはこれに限定されず、例えば、リカバリ動作の開始時からフロートすることも可能である。
（Ｈ06）前記実施例のように、感光体ＰＲの周方向全体に外添剤を分布させるために、リカバリ動作時に現像ロールＧａを電気的にフロートして、リカバリ済領域Ａ６にかぶりトナーを供給することが好ましいが、例えば、潜像形成装置ＲＯＳによってベタ画像の潜像を書き込み且つ現像ロールＧａに現像電圧Ｖｂを印加して感光体ＰＲの外周面に現像剤を供給することも可能である。
【手続補正５】
【補正対象書類名】明細書
【補正対象項目名】００８５
【補正方法】変更
【補正の内容】
【００８５】
（Ｈ07）前記実施例では、リカバリ動作時に感光体ＰＲが１回転するまで現像ロールＧａを電気的にフロートしたが、フロートの完了時期についてはこれに限定されず、例えば、中間転写体と転写ロールＲｔとの間をシートＳが通過する場合に、帯電済領域Ａ１や未帯電領域Ａ５が現像領域Ｑ２を通過するとフロートを終了することも可能である。すなわち、リカバリ済領域Ａ６にかぶりトナーを供給せずにフロートを終了してリカバリ動作を完了することも可能である。また、リカバリ済領域Ａ６の回転方向上流端がクリーニングブレードＣＬ１を２度通過するとフロートを終了することも可能である。すなわち、感光体ＰＲ表面１周分のかぶりトナーをクリーニングブレードＣＬ１で除去してからフロートを終了することも可能である。
【手続補正６】
【補正対象書類名】明細書
【補正対象項目名】００８６
【補正方法】変更
【補正の内容】
【００８６】
（Ｈ08）前記実施例では、リカバリ動作の完了時期をフロートの完了時期としたが、これに限定されず、例えば、リカバリ済領域Ａ６の回転方向上流端が現像領域Ｑ２を２度通過する時期をフロートの完了時期とし、フロートを終了してからリカバリ済領域Ａ６の回転方向上流端がクリーニングブレードＣＬ１を２度通過する時期をリカバリ動作の完了時期とすることも可能である。すなわち、感光体ＰＲ表面１周分のかぶりトナーの形成後にフロートを終了すると共に、かぶりトナーをクリーニングブレードＣＬ１で除去してからリカバリ動作を終了することも可能である。
【手続補正７】
【補正対象書類名】明細書
【補正対象項目名】００８７
【補正方法】変更
【補正の内容】
【００８７】
（Ｈ09）前記実施例では、リカバリ動作時に感光体ＰＲが１回転するまで現像ロールＧａを電気的にフロートしたが、リカバリ動作時の感光体ＰＲの回転量についてはこれに限定されず、少なくとも帯電済領域Ａ１が現像領域Ｑ２を通過する回転量であれば、任意の回転量とすることが可能である。
（Ｈ010）前記実施例のように、ジャム発生時に図７に示す各画像１０１〜１０３を表示してジャム発生や発生場所やジャム除去するために開放する部材Ｕｂ，Ｕｃ，Ｕ３を告知することが好ましいが、例えば、ユーザにジャム発生のみを告知画像で告知する構成とすることも可能である。この場合、例えば、センサＳＮ１〜ＳＮ４の数を低減してジャムの発生場所等を特定しない構成とすることも可能である。また、告知する手段についても画像を表示することに限定されず、例えば、ユーザにジャムの発生等を告知音によって告知することも可能である。
（Ｈ011）前記実施例において、例示した具体的な数値等は、設計や仕様等に応じて、適宜変更可能である。
【手続補正８】
【補正対象書類名】図面
【補正対象項目名】図６
【補正方法】変更
【補正の内容】
【図６】
2012163847.tif 000001
【手続補正９】
【補正対象書類名】図面
【補正対象項目名】図１３
【補正方法】追加
【補正の内容】
【図１３】
2012163847.tif 000002